(57)【要約】【課題】  箸を作ったことがない素人でも簡単に楽しく木製の箸を手作りで製作することができる手作り箸の製作用具を提供する。【解決手段】  手作り箸の製作用具１の上面側に第１の削り台２を有し、下面側に第２の削り台３を有し、第１の削り台２及び第２の削り台３の側面には第１の削り台２及び第２の削り台３の面より突出した鉋ガイド６を有し、上面側の第１の削り台２には傾斜を有する第１の嵌め込み溝４を有し、下面側の第２の削り台３には傾斜を有する第２の嵌め込み溝５を有し、手作り箸の製作用具１の台頭部には箸材の固定手段７を有すると共に、第１の削り台２の第１の嵌め込み溝４は、第１の削り台２の長手方向の中心線より右又は左にずれて配置され、第２の削り台３の第２の嵌め込み溝５は、第２の削り台３の長手方向の中心線より左又は右にずれて配置され、第１の嵌め込み溝４と第２の嵌め込み溝５とは互いの中心線より左右異なる方向に配置されていることを特徴とする。【選択図】図１
2011020428.tif 000002
【特許請求の範囲】
【請求項１】
手作り箸の製作用具１の上面側に第１の削り台２を有し、下面側に第２の削り台３を有し、第１の削り台２及び第２の削り台３の側面には第１の削り台２及び第２の削り台３の面より突出した鉋ガイド６を有し、上面側の第１の削り台２には傾斜を有する第１の嵌め込み溝４を有し、下面側の第２の削り台３には傾斜を有する第２の嵌め込み溝５を有し、手作り箸の製作用具１の台頭側には箸材の固定手段７を有することを特徴とする手作り箸の製作用具１。
【請求項２】
第１の削り台２の第１の嵌め込み溝４は、第１の削り台２の長手方向の中心線より右又は左にずれて配置され、第２の削り台３の第２の嵌め込み溝５は、第２の削り台３の長手方向の中心線より左又は右にずれて配置され、第１の嵌め込み溝４と第２の嵌め込み溝５とは互いの中心線より左右異なる方向に配置されていることを特徴とする請求項１記載の手作り箸の製作用具１。
【請求項３】
手作り箸の製作用具１の台頭側にくさび貫通穴１０を有する箸材固定部材８を有し、手作り箸の製作用具１の右側面側および左側面側にはくさび貫通穴１０を有し、くさび貫通穴１０より挿し込まれたくさび１１により箸材固定部材８を固定する箸材の固定手段７を有することを特徴とする請求項１又は請求項２記載の手作り箸の製作用具１。
【請求項４】
概平板状の箸置き台１２を有し、台頭側が高く台尻側が低い傾斜を有する第１の削り台２と、台頭側が高く台尻側が低い傾斜を有する第２の削り台３を有することを特徴とする請求項１又は請求項２又は請求項３記載の手作り箸の製作用具１。
【請求項５】
手作り箸の製作用具１の台尻側に箸ストッパー１３を有していることを特徴とする請求項１又は請求項２又は請求項３記載の手作り箸の製作用具１。
【請求項６】
手作り箸の製作用具１に、製作する箸の長さを決めるためのメジャー１４を備えたことを特徴とする請求項１又は請求項２又は請求項３記載の手作り箸の製作用具１。
【請求項７】
手作り箸の製作用具１の平面積のほぼ２倍程度の面積を有する平板３１の一半面側に手作り箸の製作用具１の平面積とほぼ同等の面積を有する溝又は穴を設けて用具固定部３２とし、平板３１のもう一方の一半面側を押さえ部３３とした用具固定板３０を有することを特徴とする請求項１又は請求項２又は請求項３記載の手作り箸の製作用具１。
【発明の詳細な説明】
【技術分野】
【０００１】  本発明は、箸を作ったことがない素人でも簡単に楽しく木製の箸を手作りで製作することができる手作り箸の製作用具に関する。
【背景技術】
【０００２】  従来の手作りで箸を製作できる用具としては、鉋台の下面の刃口近傍位置に押圧部材をそなえた平鉋と、上面部に、角棒状の箸材が側面を上方へ突出して収容される第１の嵌込溝と平鉋の鉋台用のガイド面を設けた第１の削り台と、上面部に、第１の削り台部において隣合う二側面を削り加工された箸材が未加工側面を上方へ突出して収容される第２の嵌込溝と平鉋の鉋台用のガイド面を設けた第２の削り台と、下向きに開口するＶ字溝の頂部隅角部に鉋刃の刃先を臨ませた面取鉋と、前記面取鉋のＶ字溝に嵌合する案内面をそなえた保持台の頂部稜線部に、第２の削り台部において未加工側面を削り加工された箸材が嵌込まれる横断面Ｖ字形の第３の嵌込溝を設けた面取台と、を具備したものが提案されていた（例えば特許文献１参照。）。
【先行技術文献】
【特許文献】
【０００３】
【特許文献１】特許第３９５８３０７号
【発明の概要】
【発明が解決しようとする課題】
【０００４】  前述の特許文献１の手作り箸製造用具では、第１の削り台と第２の削り台が同じ平面上に並んで配置されているので、平面積が大きくなることにより用具全体が大きくなるといった課題を有する。【０００５】  又、第１の削り台には２本の第１の嵌込溝が設けられ、第２の削り台にも２本の第２の嵌込溝が設けられて２本の箸を一度に削る構造であるので、箸を削る際に比較的大きな力が必要であるといった課題を有すると共に、鉋にかける力の配分が２本の箸に均等にかからなければ片方の箸はきれいに削れても他方の箸にはささくれ等の失敗がおきてしまい、箸を作るのが初心者であれば作業に困難をきたすといった課題を有する。【０００６】  さらには、第１及び第２の嵌込溝の長手方向の長さは一定の長さに固定された長さであるため、使用する箸材の長さが常に嵌込溝にぴったりとは収まらないので、箸を削る際に箸ががたついて上手に削れないといった課題を有し、大人用と子供用といった長さの異なる箸を製作するのが難しいといった課題を有する。【０００７】  さらには、第１及び第２の嵌込溝は長手方向の一端は溝の深さを深くし、もう一端は溝の深さを浅くして傾斜を形成する構造であるが、このような溝を形成するのは比較的困難であるといった課題を有する。【０００８】  さらには、第１及び第２の嵌込溝の長さは一定の長さに固定した長さであるため、箸材の長さを変更することは難しく、ほぼ同じ長さの箸材しか使用できない為に箸を使う人に合った長さの箸を作ることができないといった課題を有する。
【課題を解決するための手段】
【０００９】  本発明の手作り箸の製作用具１は、手作り箸の製作用具１の上面側に箸材の第１面４０と箸材の第２面４１を削る第１の削り台２を有し、下面側に箸材の第３面４２と箸材の第４面４３を削る第２の削り台３を有し、第１の削り台２及び第２の削り台３の側面には第１の削り台２及び第２の削り台３の面より突出した鉋ガイド６を有して素人でも鉋がまっすぐに上手にかけられるようにし、上面側の第１の削り台２には箸の上部が太く箸の下部が細く削れるように傾斜を有する第１の嵌め込み溝４を有し、下面側の第２の削り台３には箸の上部が太く箸の下部が細く削れるように傾斜を有する第２の嵌め込み溝５を有し、手作り箸の製作用具１の台頭側には削る箸材９が削る際に動かないように固定する箸材の固定手段７を有することを特徴とする。【００１０】  又、第１の削り台２の第１の嵌め込み溝４は、第１の削り台２の長手方向の中心線より右又は左にずれて配置され、第２の削り台３の第２の嵌め込み溝５は、第２の削り台３の長手方向の中心線より左又は右にずれて配置され、第１の嵌め込み溝４と第２の嵌め込み溝５とは互いの中心線より左右異なる方向に配置されていることを特徴とする。【００１１】  さらには、手作り箸の製作用具１の台頭側にくさび貫通穴１０を有する箸材固定部材８を有し、手作り箸の製作用具１の右側面側および左側面側の箸ガイド６にはくさび貫通穴１０を有し、くさび貫通穴１０より挿し込まれたくさび１１の作用により箸材固定部材８を固定する箸材の固定手段７を有することを特徴とする。【００１２】  さらには、概平板状の箸置き台１２を有し、台頭が高く台尻側が低い傾斜を有する第１の削り台２と、台頭側が高く台尻側が低い傾斜を有する第２の削り台３を有することで箸の上部が太くて箸の下部が細く削れることを特徴とする。【００１３】  さらには、手作り箸の製作用具１の台尻側に箸ストッパー１３を有し、箸ストッパー１３は鉋を引き過ぎて鉋の刃が削り台からはずれ、削り台の台尻側終端を削りすぎないようにしていることを特徴とする。【００１４】  さらには、手作り箸の製作用具１に、製作する箸の長さを決めるためのメジャー１４を備えることにより、誰でも自分に合った長さの箸を製作できるようにしたことを特徴とする。【００１５】  さらには、手作り箸の製作用具１の平面積のほぼ２倍程度の面積を有する平板３１の一半面側に手作り箸の製作用具１の平面積とほぼ同等の面積を有する溝又は穴を設けて用具固定部３２とし、平板３１のもう一方の一半面側を押さえ部３３とした用具固定板３０を有することにより、手作り箸の製作用具１を固定して鉋がけが容易にできるようにしたことを特徴とする。
【発明の効果】
【００１６】  本発明の手作り箸の製作用具１を用いれば、手作り箸の製作用具１の上面部に第１の削り台２を有し、下面部に第２の削り台３を有して、上面部の第１の削り台２には傾斜を有する第１の嵌め込み溝４を有し、下面部の第２の削り台３には傾斜を有する第２の嵌め込み溝５を有しているので、第１の削り台２と第２の削り台３が表裏に配置されて平面積が小さくなり、用具全体が小さいといった効果を有する。【００１７】  又、第１の削り台２には第１の嵌め込み溝４が１本設けられ、第２の削り台３には第２の嵌め込み溝５が１本設けられている構造であり、箸は１本ずつ削るので子供や女性といった手の力が弱い人間でも小さな力で箸を削ることができるといった効果を有し、削る箸は１本のみであるので鉋にかける力の配分を気にしなくてもささくれ等の失敗が少なく、万一失敗しても削っているのは１本のみであるので修正が容易であり作業が楽にできるといった効果を有する。【００１８】  さらには、手作り箸の製作用具１の台頭側には箸材の固定手段７を有しているので、箸材の固定手段７を調整して箸材９を固定することにより長さの異なる箸材９を使用することが可能で、長さの異なる箸材９を使用しても上手に削ることができるといった効果を有すると共に、大人用と子供用といった長さの異なる箸を容易に製作できるといった効果を有するのである。【００１９】  さらには、概平板状の箸置き台１２を有し、台頭側が高く台尻側が低い傾斜を有する第１の削り台２と、台頭側が高く台尻側が低い傾斜を有する第２の削り台３を有することで第１の嵌め込み溝４及び第２の嵌め込み溝５の傾斜を実現しているので、第１の削り台２及び第２の削り台３の傾斜角度を管理すれば溝の深さを気にすることなく傾斜のある溝を実現できるので、溝の製作が容易であるといった効果を有すると共に、結果的に鉋がけを行なう際に手作り箸の製作用具１の台尻側が低くなるので鉋がけが楽に容易に行なえるといった効果を有する。【００２０】  さらには、箸の長さを決めるメジャー１４を手作り箸の製作用具１の側面等に設けることにより、箸を使う人に合ったぴったりの長さを簡単な換算で算出できるので、希望する長さの箸が容易に製作できるといった効果を有する。【００２１】さらには、平板３１に手作り箸の製作用具１が収まる溝又は穴による用具固定部３２を設け、押さえ部３３を有する用具固定板３０を設けることにより、手作り箸の製作用具１を用具固定部３２にはめ込んで固定し、片手で押さえ部２を抑え、もう一方の片手で鉋がけをすれば、手作り箸の製作用具１ががたつかずに鉋がけが容易にできるといった効果を有する。
【発明を実施するための形態】
【００２２】  以下、本発明の実施形態を、図面を参照しながら説明する。
【００２３】  図１は上面側の斜視図、図２は下面側の斜視図、図３はくさび部分の部分拡大図で図３（ａ）はくさびの構造説明図、図３（ｂ）はくさびの作用説明図、図４は削り台の長手方向側面図、図５はメジャーの説明図、図６は用具固定板の斜視図、図７は箸材の斜視図、図８は部品構成図である。
【００２４】  本発明の手作り箸の製作用具１は、手作り箸の製作用具１の上面側に箸材９の第１面４０と箸材の第２面４１を削る第１の削り台２を有し、下面側に箸材の第３面４２と箸材の第４面４３を削る第２の削り台３を有し、第１の削り台２及び第２の削り台３の側面には第１の削り台２及び第２の削り台３の表面より突出した鉋ガイド６を有して素人でも鉋がまっすぐに上手にかけられるようにし、上面側の第１の削り台２には箸の上部が太く箸の下部が細く削れるように傾斜を有する第１の嵌め込み溝４を有し、下面側の第２の削り台３には箸の上部が太く箸の下部が細く削れるように傾斜を有する第２の嵌め込み溝５を有して箸の上部が太く、箸の下部が細く削れるようにし、手作り箸の製作用具１の台頭側には削る箸材９が削る際にがたつかないように固定する箸材の固定手段７を有している。
【００２５】  又、第１の削り台２の第１の嵌め込み溝４は、第１の削り台２の長手方向の中心線より右又は左にずれて配置され、第２の削り台３の第２の嵌め込み溝５は、第２の削り台３の長手方向の中心線より左又は右にずれて配置され、第１の嵌め込み溝４と第２の嵌め込み溝５とは互いの中心線より左右異なる方向に配置されていることにより、箸材９を鉋で削った際に、削る鉋の刃の部分が左右にずれて同じ刃の箇所で削ることがないので、鉋の刃を長持ちさせることができる。
【００２６】  図３のくさび部分の部分拡大図により箸材の固定手段７について説明する。
【００２７】  手作り箸の製作用具１の台頭側にくさび貫通穴１０を有する箸材固定部材８を有し、手作り箸の製作用具１の右側面側および左側面側の箸ガイド６にもくさび貫通穴１０を有し、くさび貫通穴１０より挿し込まれたくさび１１の作用により箸材固定部材８を固定して箸材の固定手段７を実現している。
【００２８】  図３（ａ）はくさびの構造説明図であり、箸材固定部材８は図において上下に可動でき、箸材固定部材８はくさび貫通穴１０を有し、くさび１１は斜面を有している。
【００２９】  図３（ｂ）はくさびの作用説明図であり、箸材９を第１の嵌め込み溝４又は第２の嵌め込み溝５に嵌め込んでくさび１１を押し込めば、くさび１１の斜面が図面上で左に動いて箸材固定部材８を下方に押し下げ、箸材固定部材８が箸材９突き当たって箸材９を固定するのである。
【００３０】  図４は削り台の長手方向側面図で、概平板状の箸置き台１２を挟み込む機能を有し、台頭側が高く（Ａ部）台尻側が低い（ａ部）傾斜を有する第１の削り台２と、台頭側が高く（Ｂ部）台尻側が低い（ｂ部）傾斜を有する第２の削り台３を有することで箸の上部が太くて箸の下部が細く削れることを実現した。
【００３１】  図においてＡ部はＢ部より薄く（Ａ＜Ｂ）なっているが、これは箸材９を削って箸を製作する際に、箸の４面の傾斜を同じにするために第１の削り台２と第２の削り台３の傾斜を変えている為である。ａ部とｂ部は概同等の厚さである。
【００３２】  図１及び図２において、手作り箸の製作用具１の台尻側に箸ストッパー１３を有し、箸ストッパー１３は鉋を引き過ぎて鉋の刃が削り台からはずれ、削り台の台尻側終端を削りすぎてしまうことを防止している。
【００３３】  図５はメジャーの説明図であり、本実施形態では手作り箸の製作用具１の側面に、製作する箸の長さを決めるためのメジャー１４を備えることにより、誰でも自分に合った長さの箸を製作できるようにしている。
【００３４】  図６は用具固定板の斜視図であり、手作り箸の製作用具１の平面積のほぼ２倍程度の面積を有する平板３１の一半面側に手作り箸の製作用具１の平面積とほぼ同等の面積を有する溝又は穴を設けて用具固定部３２とし、平板３１のもう一方の一半面側を押さえ部３３とした用具固定板３０を有することにより、手作り箸の製作用具１を固定して鉋がけが誰でも容易にできるようになるのである。
【００３５】  図８は部品構成図であり、本発明による手作り箸の製作用具１の一形態を実現するための部品構成を示したものである。部品名称は丸数字と部品名称一覧とを照合されたし。
【００３６】  図において、▲５▼は箸置き台で箸置き台１２に対応し、箸置き台▲５▼を挟み込むように▲３▼の削り台Ａと▲４▼の削り台Ｂとが配置されて第１の削り台２と第２の削り台３に対応し、削り台Ａ▲３▼と削り台Ｂ▲４▼を挟み込むように▲１▼の鉋ガイドＡと▲２▼の鉋ガイドＢとが配置されて鉋ガイド６を構成している。
【００３７】  ▲６▼の箸押さえは箸材固定部材８に対応しており、箸押さえ▲６▼は削り台Ａ▲３▼と削り台Ｂ▲４▼に挟み込まれて配置されるが、箸押さえ▲６▼は箸置き台▲５▼と後述する上部固定板▲８▼との間で長手方向に可動できる長さに設定されている。
【００３８】  ▲７▼の箸ストッパーは箸ストッパー１３に対応し、箸ストッパー▲７▼も削り台Ａ▲３▼と削り台Ｂに挟み込まれて配置されるが、箸ストッパー▲７▼は箸置き台▲５▼と後述する下部固定板▲９▼とで固定される長さに設定されて可動しない。
【００３９】  ▲１０▼の箸固定用くさびはくさび１１に対応し、▲１１▼のくさび止めピンは箸固定用くさび▲１０▼の概中央に固定されて箸固定用くさび▲１０▼が手作り箸の製作用具１から抜け落ちないように作用している。
【００４０】  箸置き台▲５▼と箸押さえ▲６▼、箸ストッパー▲７▼を削り台Ａ▲３▼と削り台Ｂ▲４▼で挟み込んで、▲８▼の上部固定板と▲９▼の下部固定板を配置して▲１２▼の固定用ビスで台頭側と台尻側より固定し、さらに削り台Ａ▲３▼と削り台Ｂを挟み込むように▲１▼の鉋ガイドＡと▲２▼の鉋ガイドＢを配置して鉋ガイドＡ▲１▼から鉋ガイドＢ▲２▼まで到達する長さを有する▲１３▼の固定用ビスにて右側面側から固定することにより手作り箸の製作用具１を実現できるのである。
【００４１】  手作り箸の製作用具１の使用方法を説明する。手作り箸の製作用具１で使用する鉋は市販されている普通の鉋を用いれば良い。
【００４２】  本発明の手作り箸の製作用具１で手作り箸を製作するには、最初に自分に合った箸の長さを、メジャー１４を使用して決めることが好ましい。箸の長さを決めることは必ずしも必要ではないが、自分に合った箸の長さを確認し、後は好みに応じて長さを調節すれば良い。
【００４３】  箸の長さをメジャー１４で確認するには、手作り箸の製作用具１の側面に配置されたメジャー１４を使用して、図５のメジャーの説明図にあるように手の親指と人差し指を９０度に開いた状態で指先の間隔の長さをミリメートル単位で測定できるスケール２０にて測定し、測定した指の間隔に応じた箸の長さをスケール２０の右側に配置された換算表２１にて読み取れば良い。
【００４４】  本発明で使用しているメジャー１４の換算値は、一般的に箸の長さは９０度に開いた親指と人差し指の間隔（短値）の１．５倍程度が良いとされているので、スケール２０の値を１．５倍した値を換算表２１にて表している。
【００４５】  箸の長さを決める一例を示すと、例えば開いた指の間隔の長さがスケール２０でおよそ１５ｃｍであったとすれば、スケール２０の右側にある換算表２１においてスケール２０の１５ｃｍの右側に「２３」との換算値があるので、指の間隔がおよそ１５ｃｍの場合の箸の長さは２３ｃｍであるということが判明する。同様に指の間隔が１３ｃｍであれば１３ｃｍに対応する換算表２１の数値は「２０」であるので、箸の長さは２０ｃｍで良いことが判明する。
【００４６】  箸材９を希望する箸の長さに切断するには、最初に箸材９を希望する長さに切断してから削り作業を行なう方法と、長いままの箸材９を使用して削り作業を行ない、最後に希望する長さに箸材９を切断する方法とがあるが、以下の説明では最初に箸材９を希望する長さに切断してから削り作業を行なう方法で説明する。
【００４７】  箸の長さが決定すれば、次に箸材９を決定した長さに切断し、切断した箸材９を第１の削り台２にある第１の嵌め込み溝４にはめ込んで第１の嵌め込み溝４の台尻側に押し当て、切断した箸材９の不要な部分を第１の嵌め込み溝４の台頭側にスペーサーとしてはめ込み、箸材の固定手段７であるくさび１１を右側面側より左側面側に押し込めば箸材固定部材８が固定されるのである。
【００４８】  箸材９を固定した後に鉋を第１の削り台２の台頭側に置き、鉋を第１の削り台２に押し付けながら台尻側に引き下ろすことで箸材９は削られるのである。
【００４９】  第１の削り台２の第１の嵌め込み溝４は上部側が深く、下部側が浅い溝なので、鉋により箸材９を削れば最初は箸材９の全体が削られるが、除々に削られる箇所が下部側に移動して最後は削れなくなり、鉋による箸の第１面４０の削りが終了するのである。
【００５０】  箸の第１面４０の削りが終了すれば箸の第２面４１を第１の削り台２により前記同様に削って箸の第２面４１の削りを終了する。
【００５１】  箸材の第３面４２又は箸材の第４面４３を削るには、手作り箸の製作用具１をひっくり返して下面側を上に配置し、第２の削り台３の第２の嵌め込み溝５に箸材の第３面４２又は第４面４３を上に向けて固定し、前記同様に削り作業を行なえば良いのである。
【００５２】  第２の削り台３の第２の嵌め込み溝５の傾斜は、箸材９箸材の第１面４０又は箸材の第２面４１にはすでに第１の削り台２で傾斜がついているので、第２の削り台３で箸材９を削った時に箸材の第１面４０又は箸材の第２面４１と最終的に同じ傾斜となるような角度に設定されている。
【００５３】  第１の嵌め込み溝４と第２の嵌め込み溝５の傾斜角度を前記のように設定することで、第１の削り台２で箸材の第１面４０又は箸材の第２面４１は角度を有して削られているので、箸材の第１面４０又は箸材の第２面４１が第２の嵌め込み溝５の下面に向けて置かれた状態で削り作業を行なう箸材の第３面４２又は箸材の第４面４３は最終的に箸材の第１面４０又は箸材の第２面４１と同じ角度を有することとなり、箸材９は箸として形状が揃った手作り箸を製作することができるのである。
【００５４】  箸材の第１面４０から第４面４３までの４面の表面は、その木目が鉋がけに良いとされている順目ばかりとは限らず逆目の面も必ずあり、削る際にささくれ等が起きやすい面があるが、その場合には手作り箸の製作用具１の台頭側と台尻側をひっくり返して逆方向（台尻側から台頭側に）に削れば良いのである。
【００５５】  削り作業を終了した手作り箸は角が概直角で手で握ると痛みを感じることがあるので、例えば紙やすりを小さな板材に巻いたもので角を軽くやすりがけし、バリ取りや面落としをすれば手で握っても痛みを感じないようにすることができ、さらにやすりがけを行なうことにより概四角錐状の箸の形状を概円錘状に近い形状にすることも可能である。
【００５６】  さらには、出来上がった手作り箸に自分の名前を記入し、好みの模様を付けることも可能であり、それらの作業を行なった後に専門業者に塗装や漆塗り等を委託して後日に宅配便等により自宅に届けるといったことも可能である。
【００５７】  以上説明したように、本発明の手作り箸の製作用具１を使用することにより、箸を作ったことがない素人でも簡単に楽しく木製の箸を手作りで製作することができるのである。
【図面の簡単な説明】
【００５８】
【図１】上面側の斜視図
【図２】下面側の斜視図
【図３】くさび部分の部分拡大図  （ａ）くさびの構造説明図（ｂ）くさびの作用説明図
【図４】削り台の長手方向側面図
【図５】メジャーの説明図
【図６】用具固定板の斜視図
【図７】箸材の斜視図
【図８】部品構成図
【符号の説明】
【００５９】  １：手作り箸の製作用具
２：第１の削り台
３：第２の削り台
４：第１の嵌め込み溝
５：第２の嵌め込み溝
６：鉋ガイド
７：箸材の固定手段
８：箸材固定部材
９：箸材
１０：くさび貫通穴
１１：くさび
１２：箸置き台
１３：箸ストッパー
１４：メジャー
２０：スケール
２１：換算表
３０：用具固定板
３１：平板
３２：用具固定部
３３：押さえ部
４０：箸材の第１面
４１：箸材の第２面
４２：箸材の第３面
４３：箸材の第４面
【図１】
2011020428.tif 000003
【図２】
2011020428.tif 000004
【図３】
2011020428.tif 000005
【図４】
2011020428.tif 000006
【図５】
2011020428.tif 000007
【図６】
2011020428.tif 000008
【図７】
2011020428.tif 000009
【図８】
2011020428.tif 000010